【手続補正書】
【提出日】平成19年1月11日(2007.1.11)
【手続補正１】
【補正対象書類名】特許請求の範囲
【補正対象項目名】全文
【補正方法】変更
【補正の内容】
【特許請求の範囲】
【請求項１】
第１の解像度Ｎを有する第１の画像データを、前記第１の解像度Ｎより低い第２の解像度Ｍを有する第２の画像データに変換して出力する画像処理装置であって、
前記第１の解像度Ｎに対する前記第２の解像度Ｍの比率に応じて、前記第１の画像データにおける注目画素の位置を決定し、前記注目画素により決定される領域内の画素値に基づいて複数の画素値を生成し、出力する処理手段と、
前記注目画素に基づく値と、前記注目画素に関する属性を表す属性信号とに応じて選択信号を生成する選択信号生成手段と、
前記処理手段によって生成された前記複数の画素値を、前記生成された選択信号を用いて選択し、前記第２の画像データとして出力する出力手段と、
を有することを特徴とする画像処理装置。
【請求項２】
前記処理手段は、前記注目画素により決定される前記領域内の画素のうち最大画素値を検出する処理と、前記注目画素により決定される前記領域内の各画素の積和演算を行う処理と、前記注目画素により決定される前記領域内の注目画素値を出力する処理を行うことを特徴とする請求項１に記載の画像処理装置。
【請求項３】
前記積和演算処理は、それぞれ任意の重み係数を有する複数のマスクを用いて、複数の積和演算値を出力することを特徴とする請求項２に記載の画像処理装置。
【請求項４】
前記最大画素値を検出する処理は、前記注目画素により決定される複数のサイズの領域内におけるそれぞれの最大画素値を検出することを特徴とする請求項２に記載の画像処理装置。
【請求項５】
属性信号変換手段を有し、前記選択信号生成手段での選択信号の生成に用いられる前記属性信号は、入力された前記第１の解像度Ｎの属性信号を、前記属性信号変換手段により前記第２の解像度Ｍの属性信号に変換したものであることを特徴とする請求項１に記載の画像処理装置。
【請求項６】
前記属性信号変換手段は、入力された前記第１の解像度Ｎの属性信号を前記第２の解像度Ｍの属性信号に変換する前に、前記第１の解像度Ｎと前記第２の解像度Ｍの間の解像度の信号に一度変換する処理を行うことを特徴とする請求項５に記載の画像処理装置。
【請求項７】
前記第２の解像度Ｍに変換された属性信号に基づいて、複数の領域から１つを判定する領域判定手段を有し、前記領域判定手段は複数の領域から１つを選択し、当該領域内における信号の最大値を有する画素位置を、予め定められた優先順位に基づいて決定し、かつ前記選択された領域内の画素値の和を出力することを特徴とする請求項５に記載の画像処理装置。
【請求項８】
前記領域内の小径画像を検出する処理を実行し、小径画像の有無を判定する信号を生成する小径画像信号生成手段と、
前記領域内の決定された画素位置の情報に応じて、任意の位置の第１の解像度Ｍの属性信号を選択する処理を行う属性信号選択手段と
を有することを特徴とする請求項７に記載の画像処理装置。
【請求項９】
前記領域判定手段で選択された領域内の画素値の和の値と、前記小径画像信号の信号値とを結合した値に基づいて、前記選択信号生成手段で用いられる前記属性信号を生成する手段とを有することを特徴とする請求項８に記載の画像処理装置。
【請求項１０】
第１の解像度Ｎを有する第１の画像データを、前記第１の解像度Ｎより低い第２の解像度Ｍを有する第２の画像データに変換して出力する画像処理装置であって、
前記第１の解像度Ｎに対する前記第２の解像度Ｍの比率に応じて、前記第１の画像データにおける注目画素の位置を決定し、前記注目画素により決定される領域内の画素値に基づいて複数の画素値を生成し、出力する処理手段と、
前記注目画素に基づく値と、前記注目画素に関する属性を表す属性信号とに応じて選択信号を生成する選択信号生成手段と、
前記処理手段によって生成された前記複数の画素値を、前記生成された選択信号を用いて選択し、前記第２の画像データとして出力する出力手段と、を有し、
前記属性信号が前記領域内に小径画像が存在することを示すか否かに応じて、前記処理手段によって生成された前記複数の画素値の選択を切り換えることを特徴とする画像処理装置。
【請求項１１】
前記属性信号が前記所定の領域内に小径画像が存在することを示す場合、前記選択信号によって選択される画素値は前記注目画素の画素値であることを特徴とする請求項１０に記載の画像処理装置。
【請求項１２】
第１の解像度Ｎを有する第１の画像データを、前記第１の解像度Ｎより低い第２の解像度Ｍを有する第２の画像データに変換して出力する画像処理方法であって、
前記第１の解像度Ｎに対する前記第２の解像度Ｍの比率に応じて、前記第１の画像データにおける注目画素の位置を決定し、前記注目画素により決定される領域内の画素値に基づいて複数の画素値を生成し、出力する処理ステップと、
前記注目画素に基づく値と、前記注目画素に関する属性を表す属性信号とに基づいて選択信号を生成する選択信号生成ステップと、
前記処理ステップで生成された前記複数の画素値を、前記生成された選択信号を用いて選択し、前記第２の画像データとして出力する出力ステップと、
を有することを特徴とする画像処理方法。
【請求項１３】
前記処理ステップは、前記注目画素により決定される前記領域内の画素のうち最大画素値を検出する処理と、前記注目画素により決定される前記領域内の各画素の積和演算を行う処理と、前記注目画素により決定される前記領域内の注目画素値を出力する処理を行うことを特徴とする請求項１２に記載の画像処理方法。
【請求項１４】
前記積和演算処理は、それぞれ任意の重み係数を有する複数のマスクを用いて、複数の積和演算値を出力することを特徴とする請求項１３に記載の画像処理方法。
【請求項１５】
前記最大画素値を検出する処理は、前記注目画素により決定される複数のサイズの領域内におけるそれぞれの最大画素値を検出することを特徴とする請求項１３に記載の画像処理方法。
【請求項１６】
属性信号を変換する属性信号変換ステップを有し、前記選択信号生成ステップでの選択信号の生成に用いられる前記属性信号は、入力された前記第１の解像度Ｎの属性信号が、前記属性信号変換ステップにおいて前記第２の解像度Ｍの属性信号に変換されたものであることを特徴とする請求項１２に記載の画像処理方法。
【請求項１７】
前記属性信号変換ステップでは、入力された前記第１の解像度Ｎの属性信号を前記第２の解像度Ｍの属性信号に変換する前に、前記第１の解像度Ｎと前記第２の解像度Ｍの間の解像度の信号に一度変換する処理を行うことを特徴とする請求項１６に記載の画像処理方法。
【請求項１８】
前記第２の解像度Ｍに変換された属性信号に基づいて、複数の領域から１つを判定する領域判定ステップを有し、前記領域判定ステップは複数の領域から１つを選択し、当該領域内における信号の最大値を有する画素位置を、予め定められた優先順位に基づいて決定し、かつ前記選択された領域内の画素値の和を出力することを特徴とする請求項１６に記載の画像処理方法。
【請求項１９】
前記領域内の小径画像を検出する処理を実行し、小径画像の有無を判定する信号を生成する小径画像信号生成ステップと、
前記領域内の決定された画素位置の情報に応じて、任意の位置の第１の解像度Ｍの属性信号を選択する処理を行う属性信号選択ステップと、
を有することを特徴とする請求項１８に記載の画像処理方法。
【請求項２０】
前記領域判定ステップで選択された領域内の画素値の和の値と、前記小径画像信号の信号値とを結合した値に基づいて、前記選択信号生成ステップで用いられる前記属性信号を生成するステップと、を有することを特徴とする請求項１９に記載の画像処理方法。
【請求項２１】
第１の解像度Ｎを有する第１の画像データを、前記第１の解像度Ｎより低い第２の解像度Ｍを有する第２の画像データに変換して出力する画像処理方法であって、
前記第１の解像度Ｎに対する前記第２の解像度Ｍの比率に応じて、前記第１の画像データにおける注目画素の位置を決定し、前記注目画素により決定される領域内の画素値に基づいて複数の画素値を生成し、出力する処理ステップと、
前記注目画素に基づく値と、前記注目画素に関する属性を表す属性信号とに基づいて選択信号を生成する選択信号生成ステップと、
前記処理ステップで生成された前記複数の画素値を、前記生成された選択信号を用いて選択し、前記第２の画像データとして出力する出力ステップと、を有し、
前記属性信号が前記所定の領域内に小径画像が存在することを示すか否かに応じて、前記処理ステップで生成された前記複数の画素値の選択を切り換えることを特徴とする画像処理方法。
【請求項２２】
前記属性信号が前記所定の領域内に小径画像が存在することを示す場合、前記選択信号によって選択される画素値は前記注目画素の画素値であることを特徴とする請求項２１に記載の画像処理方法。
【手続補正２】
【補正対象書類名】明細書
【補正対象項目名】００１０
【補正方法】変更
【補正の内容】
【００１０】
本発明は、解像度を低下させる処理を行う場合でも、画像に対する解像度変換処理の影響を抑え、かつプリンタやコントローラ処理への負荷を抑えて、高精細な画像出力を行うことを目的とし、第１の解像度Ｎを有する第１の画像データを、前記第１の解像度Ｎより低い第２の解像度Ｍを有する第２の画像データに変換して出力する画像処理装置であって、前記第１の解像度Ｎに対する前記第２の解像度Ｍの比率に応じて、前記第１の画像データにおける注目画素の位置を決定し、前記注目画素により決定される領域内の画素値に基づいて複数の画素値を生成し、出力する処理手段と、前記注目画素に基づく値と、前記注目画素に関する属性を表す属性信号とに応じて選択信号を生成する選択信号生成手段と、前記処理手段によって生成された前記複数の画素値を、前記生成された選択信号を用いて選択し、前記第２の画像データとして出力する出力手段と、を有するものである。